(57)【要約】【課題】  インストルメントパネルに、自分の好きな写真、地図、イラスト、図柄等を、差し替え自在に取り付けるようにしてカスタマイズしたインストルメントパネル用表示装置を得る。【解決手段】  インストルメントパネル１表面に、少なくともその一部を着脱自在にして設けられる透明パネル５，２９、および、透明パネルとインストルメントパネルとの間に挟まれて保持される写真、地図、イラスト、図柄等を表示した装飾シート部材９を具備し、装飾シート部材９をインストルメントパネル１から取り外して、装飾シート部材とは別の装飾シート部材９を差し替えることができるようにしたり、発光手段２０の光を装飾シート部材９の裏側から照らしたり、有機エレクトロルミネッセンス表示パネル２０を設けて、ネットワーク情報を表示させる。【選択図】図１
2005112251.tif 000002
【特許請求の範囲】
【請求項１】
インストルメントパネルに、少なくともその一部を係合手段を介して着脱自在にして設けられる透明パネル、および、上記透明パネルと上記インストルメントパネルとの間に挟まれて保持される装飾シート部材を具備し、上記係合手段による係合を解いて、上記装飾シート部材を上記インストルメントパネルから取り外して、上記装飾シート部材とは別の装飾シート部材を差し替えることができるようにしたことを特徴とするインストルメントパネル用表示装置。
【請求項２】
上記インストルメントパネルと上記装飾シート部材との間に、上記装飾シート部材の裏面をバックライトとして照らす発光手段を設けたことを特徴とする請求項１記載のインストルメントパネル用表示装置。
【請求項３】
上記発光手段は、柔軟性を有する有機エレクトロルミネッセンス素子でなるシート状のエレクトロルミネッセンスパネルであることを特徴とする請求項１または２記載のインストルメントパネル用表示装置。
【請求項４】
インストルメントパネルに、柔軟性を有する有機エレクトロルミネッセンス素子でなるシート状のエレクトロルミネッセンス表示パネルを設けたことを特徴とするインストルメントパネル用表示装置。
【発明の詳細な説明】
【技術分野】
【０００１】
本発明は、乗用自動車、トラック、バス等自動車のインストルメントパネルに適用されるインストルメントパネル用表示装置に関する。
【背景技術】
【０００２】
自動車のユーザーは、車室内を自己の好みに合わせて使い勝手の良いデザインに変更して自己の個性を演出し、他人の車と差別化を図る。運転席や助手席回りに配置されたインストルメントパネルのデザインをカスタマイズするのも一手法として有効である。インストルメントパネルに装飾的なデザインを施した表示装置や、ネットワークに通じた画像表示装置を設けることでユーザーの嗜好を満足させる技術として、例えば、特開平１１−２４７号公報が公知である。特開平１１−２４７号公報の技術は、インストルメントパネル上に、交通安全に関するメッセージ付きの写真ケースでなる表示装置を載置したもので、表示装置を視る搭乗者に精神的な余裕を与えて交通安全に資するようにしたものである。
【特許文献１】特開平１１−２４７号公報
【発明の開示】
【発明が解決しようとする課題】
【０００３】
しかしながら、上記特許文献１のものにあっては、インストルメントパネル上にメッセージ付き写真ケースを設置する構成であるために、車両衝突時に、搭乗者が写真ケースにぶつかったりする恐れがあり、また、インストルメントパネルと一体感のあるデザイン処理でないために、インストルメントパネル回りがすっきりしない問題がある。本発明は、このような問題点を解決するために、写真、地図、イラスト、図柄等を表示する装飾シート部材を、透明パネルによりインストルメントパネルに模様換えできるように取り付けて、インストルメントパネル回りのデザイン処理をユーザーの嗜好に合うようにカスタマイズして個性を演出できるようにした構造簡単なインストルメントパネル用表示装置を提供しようとするのが、本発明の目的（課題）である。
【課題を解決するための手段】
【０００４】
上記課題を解決するために、本発明においては次のような手段を講ずることとした。すなわち、請求項１記載の発明は、インストルメントパネル用表示装置であって、インストルメントパネルに、少なくともその一部を係合手段を介して着脱自在にして設けられる透明パネル、および、上記透明パネルと上記インストルメントパネルとの間に挟まれて保持される装飾シート部材を具備し、上記係合手段による係合を解いて、上記装飾シート部材を上記インストルメントパネルから取り外して、上記装飾シート部材とは別の装飾シート部材を差し替えることができるようにしたことを特徴とする。
【０００５】
この請求項１記載の発明では、例えば、マジックテープ(登録商標)の如き面ファスナー、あるいは適宜の締結部材であるねじ等の係合手段により、透明パネル（クリアパネル）がインストルメントパネルに着脱自在に取り付けられる。このとき、透明パネルとインストルメントパネルとの間に、写真、地図、イラスト、模様、色彩、図柄等を表示した装飾シート部材が挟まれるようにして取り付けられるので、装飾シート部材の図柄等は透明パネルを介して視認することができ、ユーザーの好みに応じてインストルメントパネル周りのデザインを変え、ユーザーの好みに合わせたカスタマイズが行え、インストルメントパネル周りの装飾性が多様化し、他人の車に対する差別化を図れるようになる。
【０００６】
請求項２記載の発明は、請求項１記載の発明インストルメントパネル用表示装置に係り、上記インストルメントパネルと上記装飾シート部材との間に、上記装飾シート部材の裏面をバックライトとして照らす発光手段を設けたことを特徴とする。
【０００７】
この請求項２記載の発明では、インストルメントパネルと透明パネルとの間に挟まれた装飾シート部材が、発光手段により裏面からバックライトとして照らされるため、その光が装飾シート部材を透過することで、装飾シート部材の図柄等を鮮明に視認することができるようになる。なお、発光手段は、例えば、通常のランプ、ＬＥＤ（発光ダイオード素子）、自発光手段としてのエレクトロルミネッセンス素子でなるエレクトロルミネッセンス表示パネル等がある。
【０００８】
また、請求項３記載の発明は、請求項１または２記載のインストルメントパネル用表示装置に係り、上記発光手段は、柔軟性を有する有機エレクトロルミネッセンス素子でなるシート状のエレクトロルミネッセンスパネルであることを特徴とする。
【０００９】
この請求項３記載の発明では、発光手段として、柔軟性を有するシート状の有機エレクトロルミネッセンス素子でなるエレクトロルミネッセンス表示パネルで形成しているので、インストルメントパネルが湾曲した縦断面形状を有している場合でも、その湾曲したインストルメントパネル表面になじむようにして折り曲げて簡単に取り付けることができ、インストルメントパネルの表面形状が平坦であっても、曲面形状であっても、その表面形状に関係なく発光手段をフレキシブルに装着できる。なお、この場合、エレクトロルミネッセンスパネルとしては、静止画、動画、あるいはパーソナルコンピュータの表示画面、車載のナビゲーションシステムの情報表示画面を表示できる態様のものであってもよいものである。
【００１０】
また、請求項４記載の発明は、インストルメントパネル用表示装置であって、インストルメントパネルに、柔軟性を有する有機エレクトロルミネッセンス素子でなるシート状のエレクトロルミネッセンス表示パネルを設けたことを特徴とする。
【００１１】
この請求項４記載の発明では、インストルメントパネルにシート状の有機エレクトロルミネッセンス素子であるエレクトロルミネッセンス表示パネルを設けたので、このエレクトロルミネッセンス表示パネルに、静止画や動画の画像や、インターネットや移動体通信ネットワーク網を通じた通信回線等を通じて送受信される情報を表示したりすることで、インストルメントパネルに装飾機能を付加し、車室内居住性を高めることができるようになり、他人の車両から差別化することも可能となるものである。
【発明の効果】
【００１２】
請求項１記載の発明によれば、例えば、マジックテープの如き面ファスナー、あるいは適宜の締結部材であるねじ等の係合手段により、透明パネルがインストルメントパネルに着脱自在に取り付けられるので、装飾シート部材の図柄等は透明パネルを介して視認することができ、ユーザーの好みに応じたインストルメントパネル周りのデザインに容易にカスタマイズして変更でき、また、写真、イラスト、地図、各種図柄等を表示することで、便利な使用をすることができ、さらには、インストルメントパネル周りの装飾性を多様化した態様で使用することができ、ひいては、ユーザー車両の付加価値を高めて他人の車に対する差別化を図れる効果がある。
【００１３】
また、請求項２記載の発明によれば、インストルメントパネルと透明パネルとの間に挟まれた装飾シート部材が、発光手段により裏面からバックライトとして照らされるため、装飾シート部材の図柄等を鮮明に視認し易くなり、インストルメントパネル周りの見栄えを向上できるようになる。することができるようになる。
【００１４】
また、請求項３記載の発明によれば、発光手段として、柔軟性を有するシート状の有機エレクトロルミネッセンス素子でなるエレクトロルミネッセンス表示パネルで形成しているので、インストルメントパネルが湾曲した縦断面形状を有している場合でも、その湾曲したインストルメントパネル表面になじむようにして折り曲げて簡単に取り付けることができ、インストルメントパネルの表面形状が平坦であっても、曲面形状であっても、その表面形状に関係なく発光手段をフレキシブルに装着でき、また、エレクトロルミネッセンス表示パネルは厚みの薄いシート形状をなすので、インストルメントパネル表面に略面をなすようにフラットな状態で取り付けられ、インストルメントパネル周りのスペースを広く使用できる効果がある。
【００１５】
また、エレクトロルミネッセンス表示パネルとしては、単に光を発光するだけの態様のもの、静止画だけを表示するもの、動画を表示できるようにした形態のもの、あるいは移動体通信ネットワークを通じるパーソナルコンピュータの情報表示や、車載ナビゲーションシステムの位置・地図情報等を表示するディスプレイ装置で形成することも可能であるので、装飾シート部材をインストルメントパネルから取り外した状態においては、このディスプレイ装置を兼用して配置され、利便性を向上できるインストルメントパネル用表示装置を得ることができる効果がある。
【００１６】
また、請求項４記載の発明によれば、インストルメントパネルにシート状の有機エレクトロルミネッセンス素子であるエレクトロルミネッセンス表示パネルを設け、このエレクトロルミネッセンス表示パネルに、静止画や動画の画像や、インターネットや移動体通信ネットワーク網を通じた通信回線等を通じて送受信される情報を表示できるので、インストルメントパネル表面に嵩張ることなく、ほとんどインストルメントパネルの表面形状を保持した面一の状態で装着でき、インストルメントパネルと一体感のある装飾機能が付加されたを得ることができる効果を奏する。
【発明を実施するための最良の形態】
【００１７】
本発明の第１実施の形態を、図１〜図３に基づいて詳述する。図１は、インストルメントパネル用表示装置の外観斜視図、図２は図１の2−2線の矢視拡大縦断面図、図３は組み立て分解状態を示した外観斜視図である。図において、乗用自動車のインストルメントパネル本体１の中央には、オーディオ装置やエアコン装置のスイッチ操作部等の機能部品を設けたセンターコンソール２が配置される。インストルメントパネル本体１は、合成樹脂製で形成され、その助手席に対向するインストルメントパネル本体１には、インストルメントパネル用表示装置３が設けられる。
【００１８】
インストルメントパネル用表示装置３が設置されるインストルメントパネル本体１は、その縦断面形状が湾曲面をなしており、助手席に着座する乗員が視認し易い位置となる箇所に、段差をなすように若干量だけ陥没する凹みエリア４が形成されている。凹みエリア４には、凹みエリア４にほぼはまり込む大きさを有し、且つ、インストルメントパネル本体１と略同一の湾曲面をなすように形成された所定の湾曲形状を有する合成樹脂製の透明パネル（以下「クリアパネル」という）５が着脱自在に設けられる。クリアパネル５は、透明であればよく、その材質は、例えば、アクリル、ビニール、ポリエチレン等種々の合成樹脂材のものであってよい。
【００１９】
クリアパネル５の凹みエリア４への係合手段は、具体的には、凹みエリア４に、マジックファスナー(登録商標)等でなる面ファスナー６ａ，７ａ，８ａ（一方側の面ファスナー部）が、またクリアパネル５に、上記面ファスナーに対応する位置に面ファスナー６ｂ、７ｂ、８ｂ（他方側の面ファスナー部）が設けられ、両方の面ファスナー部で係合手段が形成される。他方側の面ファスナー６ｂ、７ｂ、８ｂを、一方側の面ファスナー６ａ，７ａ，８ａに係脱させることで、クリアパネル５が凹みエリア４に着脱自在に装着できるようになる。
【００２０】
また、凹みエリア４には、例えば、家族、人物、風景等の写真、地図、イラストや豹といった動物の図柄を画いた用紙（合成樹脂製のシートも含む）でなる装飾シート部材９が収められ、その装飾シート部材９の上を覆うようにクリアパネル５が被せられ、面ファスナー６ａ，６ｂ、７ａ，７ｂ，８ａ，８ｂが互いに合わせられて接合されるようになっている。なお、面ファスナー６ａ，６ｂ、７ａ，７ｂ，８ａ，８ｂが接合されると、両側の面ファスナーの厚み分だけ、凹みエリア４、つまりインストルメントパネル本体１とクリアパネル５との間に隙間ができ、そこに装飾シート部材９（図３では、斜線で表示）が収納できるものである。また、装飾シート部材９が取り付けられた状態においては、クリアパネル５の外表面は、インストルメントパネル本体１の表面と連続した滑らかな面をなすように形成される。
なお、符号１０は、冷暖房エアの吹き出しノズルを、１１はグローブボックスのリッドを示す。
【００２１】
上記第１実施の形態において、例えば、写真のような装飾シート部材９を凹みエリア４に添うように置き、その上からクリアパネル５で覆うと、面ファスナー６ａ，６ｂ、７ａ，７ｂ，８ａ，８ｂが接合する。装飾シート部材９は、図２に示すように、インストルメントパネル本体１，つまり凹みエリア４とクリアパネル５との間で挟まれて保持される。
【００２２】
第１実施の形態によれば、装飾シート部材９はクリアパネル５で保持され、インストルメントパネル本体１に飾られ、クリアパネル５を通して助手席等に着座する乗員から視認することができ、インストルメントパネル本体１の見栄えが向上する。また、写真を別の写真に変更したり、地図に取り換えたりする場合には、面ファスナー６ａ，６ｂ、７ａ，７ｂ，８ａ，８ｂの接合力を解放して、クリアパネル５を凹みエリア４から取り外し、好みにあった別の装飾シート部材に差し替えてセットし、クリアパネル５を再び凹みエリア４に取り付けることで、別の装飾シート部材をクリアパネル５で保持でき、交換を簡単に行えることができる。
【００２３】
次に、図４〜図６に示す第２実施の形態を説明する。すなわち、本第２実施の形態が、上記第１実施の形態と異なる点は、上記第１実施の形態では、装飾シート部材９の裏面に発光手段を設けていないのに対して、本第２実施の形態では、装飾シート部材９の裏面に発光手段として有機エレクトロルミネッセンス素子（以下「有機ＥＬ素子」という）でなる有機エレクトロルミネッセンス表示パネル（以下「有機ＥＬ表示パネル」という）２０を設けた点が異なり、その他の構成は両者共通する。
【００２４】
上記有機ＥＬ表示パネル２０は、例えば、特開２００２−１００４６９号公報や特開２００３−１３１５８５号公報で公知のように、有機ＥＬ素子でなるフィルム状の画像表示機能を備えた態様のもの、あるいは単に種々の色を発光するだけの発光機能を有するもの等の、屈曲自在の変形が可能となる可撓性を備えた発光手段が使用される。具体的には、有機ＥＬ表示パネル２０は、図５に示すように、例えば、アクリル製の保護膜機能を有する透明板２１と支持板２２との間に有機ＥＬ素子を蒸着した有機ＥＬフィルム２３をサンドウィッチ状に挟んで保持した超薄型の積層構造にし、外周縁をコ字断面を備えた可撓性を有するフレーム２４（図６参照）で一体化したユニット構造体で、接着剤やねじ等の締結部材といった取付手段を介してインストルメントパネル本体１の凹みエリア４に装着される。なお、この場合、フレーム２４は設けなくてもよく、各部材２１，２２，２３を接着剤により接合しただけの構造のものを使用することもでき、また、支持板２２を有していなくてもよい。
また、有機ＥＬ表示パネル２０は、図示はしないが、電気接続コネクタを介して画像表示を司る駆動制御部に電気接続されるもので、これにより静止画像や動画を表示する画面、移動体通信ネットワークを介しての信号を送受信した画像データを表示したりするパーソナルコンピュータのモニタ、あるいは車載ナビゲーションシステムの位置や地図情報を表示するモニタ画面としての機能を有するように構成したものを使用することも可能である。
このように、有機ＥＬ表示パネル２０は、インストルメントパネル本体１の曲面形状になじんで、折り曲げが可能となる薄型表示パネルとして形成される。
【００２５】
有機ＥＬ表示パネル２０は、曲面をなす凹みエリア４になじむようにして取り付けられた後、フレーム２４外側の適所に、マジックテープ等の面ファスナー２５〜２８が設けられ、柔軟性を有するクリアパネル２９が着脱自在に取り付けられる。これにより、有機ＥＬ表示パネル２０の透明板２１とクリアパネル２９との間に微少な隙間Ｓが形成され、その隙間Ｓに装飾シート部材９が収納される。装飾シート部材９が収納された状態では、クリアパネル２９の表面は、インストルメントパネル本体１の外面と連続するように面一となる。
【００２６】
第２実施の形態によれば、有機ＥＬ表示パネル２０が発する光が装飾シート部材９を裏面から照らすので、装飾シート部材９に画かれた図柄等がクリアパネル２９を通して視認し易くなる。そのため、インストルメントパネル本体１に図柄、画像が表示されることとなり、インストルメントパネルを自己の好みに応じてカスタマイズして使用することができ、個性を演出できて、他人の車と差別化することができるようになる。また、装飾シート部材９を別の装飾シート部材９に差し替える場合には、図４の二点鎖線で示すように、クリアパネル２９上方の面ファスナー２５，２６，２７を剥がしてめくることにより取り換えることができる。
また、装飾シート部材９を使用しない場合には、有機ＥＬ表示パネル２０がクリアパネル２９を通して視認できるので、静止画、動画、スクリーンセーバといった種々の画面を表示させることで、高級感あるインストルメントパネル本体１を構成することができる。また、クリアパネル２９や装飾シート部材９の存在により、有機ＥＬ表示パネル２０の外力による損傷や、埃および飲料水付着によるよごれ等から有効に保護することができる。
【００２７】
以上、本発明の実施の形態を図面より詳述してきたが、具体的な構成はこの実施の形態に限られるものではなく、本発明の要旨を逸脱しない範囲の設計変形等があっても本発明に含まれる。
例えば、上記第２実施の形態では、有機ＥＬ表示パネル２０の表面側に、装飾シート部材９およびクリアパネル２９を設けたが、これら装飾シート部材９やクリアパネル２９を設けないで、有機ＥＬ表示パネル単体で使用する構成にすることも可能である。すなわち、有機ＥＬ表示パネル２０単体をインストルメントパネル本体１に装着する構成とすることで、有機ＥＬ表示パネル２０の画面に表示される静止画、動画といった画像を表示させたり、インターネットや移動体通信ネットワーク網を通じて送受信される情報を表示させる機能により、装飾シート部材９の装飾機能に置き換えることができ、搭乗者は有機ＥＬ表示パネルに表示される写真、地図、イラスト、図柄等の情報を見ながらドライブすることができ、快適な車室内居住性を得るができる効果がある。
【００２８】
また、上記第２実施の形態では、柔軟性且つ可撓性を有する有機ＥＬ表示パネル２０を採用した場合について説明したが、もちろんこれに限定されるものでなく、通常の無機液晶表示パネル（ＬＣＤ）を設け、この液晶パネルの裏面に発光手段としてのエレクトロルミネッセンスを装着した構造のものであってもよい。
また、第２実施の形態で使用される有機ＥＬ表示パネル２０は、図５に示す構造であったが、その積層構造を構成する部材の多少に関係なく、柔軟性と可撓性を備えた薄型の態様であれば、どのような有機ＥＬ表示パネルであってもよい。
また、発光手段としては、有機ＥＬ表示パネル２０の代わりに、通常のランプ、ＬＥＤを、装飾シート部材９の裏面側に配置する構成とすることも可能である。
【図面の簡単な説明】
【００２９】
【図１】本発明の第１実施の形態に係るインストルメントパネル用表示装置の外観斜視図である。
【図２】図１の2−2線の矢視拡大縦断面図である。
【図３】上記インストルメントパネル用表示装置の組み立て分解状態を示した外観斜視図である。
【図４】本発明の第２実施の形態の拡大縦断面図である。
【図５】有機ＥＬ表示パネルの組み立て分解図である。
【図６】第２実施の形態における組み立て分解状態を示す外観斜視図である。
【符号の説明】
【００３０】
１  インストルメントパネル本体
３  インストルメントパネル用表示装置
４  凹みエリア
５  クリアパネル（透明パネル）
６ａ，６ｂ，７ａ，７ｂ，８ａ，８ｂ  面ファスナー
９  装飾シート部材
２０  有機ＥＬ表示パネル（有機エレクトロルミネッセンス表示パネル）
２１  透明板
２２  支持板
２３  有機ＥＬフィルム
２５，２６，２７、２８  面ファスナー
２９  クリアパネル（透明パネル）
【図１】
2005112251.tif 000003
【図２】
2005112251.tif 000004
【図３】
2005112251.tif 000005
【図４】
2005112251.tif 000006
【図５】
2005112251.tif 000007
【図６】
2005112251.tif 000008